【事件の表示】
　特願２００１−　７４７４９号「床暖房パネルの構造」拒絶査定不服審判事件〔平成１４年　９月２５日出願公開、特開２００２−２７６９６１号〕について，次のとおり審決する。
【結　論】
　本件審判の請求は，成り立たない。
【理　由】
１．手続の経緯
　
　本件に係る出願（以下「本願」という。）は，平成１３年３月１５日の特許出願であって，平成２０年７月１７日付けで拒絶査定がなされ（発送日：平成２０年７月２２日），これに対し，平成２０年８月２１日に拒絶査定不服審判の請求がなされるとともに，平成２０年９月２２日付けで手続補正がなされたものである。　
　
２．平成２０年９月２２日付け手続補正についての補正却下の決定
　
［補正却下の結論］
　
　平成２０年９月２２日付け手続補正（以下「本件補正」という。）を却下する。
　
［理由］
　
（１）補正後の本願発明
　
　本件補正により，特許請求の範囲の請求項１は，次のように補正された。　
「温水パイプや電気ヒータなどの放熱部材が収納されている暖房パネル本体の上面に床表面材を積層して床暖房パネルが構成され，暖房パネル本体には小根太が配置されており，小根太には放熱部材が横断することができる部位が設けられると共に，床表面材はその長手方向を小根太と直交する方向に向けて配置され，放熱部材が横断する小根太の部位以外の部位に床表面材が釘打ち固定されている床暖房パネルの構造において，放熱部材が横断する小根太の部位の上側に，床表面材の長手方向と平行に「釘打ちを禁止する」旨の注意書きを表示し且つフローリングの際に一部の列の「釘打ちを禁止する」旨の注意書きが床表面材により死角になった場合でも残りの列の「釘打ちを禁止する」旨の注意書きが当該床表面材の死角に入らないようにこの注意書きを床表面材の長手方向と直交する方向に複数列で表示するための釘打ち防止用表示部を設けたことを特徴とする床暖房パネルの構造。」
　　
（２）補正の目的
　
　本件補正は，注意書きについて，「『釘打ちを禁止する』旨の」との限定を付加するものである。
　そして，補正前の請求項１に記載された発明と，補正後の請求項１に記載される発明の，産業上の利用分野及び解決しようとする課題が同一であるので，本件補正は，平成１８年法律第５５号改正附則第３条第１項によりなお従前の例によるとされる同法による改正前の特許法（以下，「改正前の特許法」という。）第１７条の２第４項第２号の特許請求の範囲の減縮を目的とするものに該当する。
　
　そこで，本件補正後の前記請求項１に記載された発明（以下「本件補正発明」という。）が，特許出願の際独立して特許を受けることができるものであるか（改正前の特許法第１７条の２第５項において準用する同法第１２６条第５項の規定に適合するか）について，検討する。
　　
（３）引用文献
　
（３−１）原査定の拒絶の理由に引用された刊行物である，登録実用新案公報第３０４９０５６号公報（以下「引用文献１」という。）には，図面とともに，次の事項が記載されている。
　
１ａ．「【従来の技術】
　最近，暖房装置として健康的な床暖房が注目され，現実に床暖房が多く採用されるようになってきている。　
　ところで，この床暖房装置を設置する場合は図６に示されるように床暖房装置の構成部材の一つである床暖房マット１を床２に敷いた状態で固定する必要がある。この床暖房マット１のマット本体３には温水が循環して流れる合成樹脂製の温水パイプ４を嵌め込む溝５が蛇行した状態で形成され，この溝５に温水パイプ４が嵌め込まれている。また，温水パイプ４間には木製の角材で形成された小根太６が配設されている。
　
従って，前記床暖房マット１を床２に固定する場合は小根太６の上面６Ａに一定間隔で図示しないビスを打ち込んで床暖房マット１を床２に固定している。
　また，
前記床暖房マット１を床２に固定した後に床暖房マット１の上にフローリングを構成する図示しない矩形状のフローリング材を配置してフローリング材を隠し釘等で前記小根太６に打ち付けて固定している。しかし，フローリング材に隠し釘等を打ち込む際に誤って隠し釘等を小根太６でなく温水パイプ４に打ち付けて温水パイプ４に孔を開けてしまう場合がある。
　この場合，床暖房装置の水圧試験や試運転で始めて温水パイプ４から温水が漏れている事実が判明するので，フローリング材を取り外して温水パイプ４を修理し，再度フローリングしなければならないという不具合がある。」（段落【０００２】：下線は当審にて付与，以下同様。）
　
１ｂ．「【考案の実施の形態】
　図１乃至図４には本考案に係る床暖房マット取付ビス打ちガイドテープの第１実施例が示されている。
　図１に示されるように，この床暖房マット取付ビス打ちガイドテープ１０は熱に強い合成樹脂材で形成され，幅寸法４５ｍｍで厚み寸法が０．０５ｍｍに設定されている。
　この床暖房マット取付ビス打ちガイドテープ１０の一面としての上面１０Ａには長手方向に沿ってビスを打ち込む十字状のビスマーク１２が印刷されている。
この実施例ではビスマーク１２は１５０ミリ間隔で印刷されている。
　図２に示されるように，前記床暖房マット取付ビス打ちガイドテープ１０の他面としての裏面１０Ｂには粘着剤１４が塗布されている。従って，前記床暖房マット取付ビス打ちガイドテープ１０を容易かつ迅速に小根太６の上面６Ａに貼付できるようになっている。
　また，
図１に示されるように，前記床暖房マット取付ビス打ちガイドテープ１０のビスマーク１２とビスマーク１２の数箇所の間には『このテープ上にフローリングを止めて下さい。注意  このテープ以外に止めないで下さい。』という注意書き１６が印刷されている。
　
１ｃ．「 次に，第１実施例の作用について説明する。
　本考案に係る床暖房マット取付ビス打ちガイドテープ１０を使用する場合は，図３に示されるように，まず床２に床暖房マット１を敷く。次に，床暖房マット１の全ての小根太６の上面６Ａに床暖房マット取付ビス打ちガイドテープ１０を貼付する（図３には１本の小根太６にのみ床暖房マット取付ビス打ちガイドテープ１０を貼付した状態を示す）。
　前記床暖房マット取付ビス打ちガイドテープ１０の上面１０Ａにはビスマーク１２が所定間隔で印刷されているので，作業者はビスマーク１２にしたがってビスを打ち付ければ床暖房マット１を床２に固定することができる。従って，従来のように作業者が小根太６の上面６Ａにメジャーを当ててビスマークを付けてからビスを打つ場合に比べメジャー等を利用してビスマークを小根太６に付ける手間が省けるので床暖房マット１の取付作業の効率化を一段と向上させることができる。しかも，ビスマーク１２に基づいてビスを打ち込むだけでよいので経験の浅い作業者でも設計通りにビスを打ち込むことができる。
　また，
ビスマーク１２とビスマーク１２との間には注意書き１６が印刷されているので，フローリング材を隠し釘等で固定する場合に作業者は前記注意書き１６により注意を促されるので誤って温水パイプ４に隠し釘等を打ち込む事故を防止することができる。
　
１ｄ．「なお，実施例では帯状で長尺状の床暖房マット取付ビス打ちガイドテープ１０を例にして説明したが，床暖房マット取付ビス打ちガイドテープ１０を長く製造して巻き尺のように巻いた状態にして必要な長さに引き出してカットして使用するようなタイプの床暖房マット取付ビス打ちガイドテープ１０でもよいことは勿論である。
　また，実施例では床暖房マット取付ビス打ちガイドテープ１０の幅寸法を４５ｍｍにしたがこれに限定されるものではなく，床暖房マット取付ビス打ちガイドテープ１０の幅寸法は２０ｍｍから４５ｍｍの間が好ましい。さらに，実施例では床暖房マット取付ビス打ちガイドテープ１０の厚み寸法を０．０５ｍｍにしたが，厚み寸法は０．０５ｍｍ以下が好ましい。
　なお，実施例ではビスマーク１２とビスマーク１２との間を１５０ｍｍ間隔で印刷したが，ビスマーク１２の間隔は１５０ｍｍに限定されるものでないことは勿論である。
　また，実施例では床暖房マット取付ビス打ちガイドテープ１０を合成樹脂材で形成したが，床暖房マット取付ビス打ちガイドテープ１０の材質は紙等の材料でもよいことは勿論である。  
　なお，
第１実施例ではビスマーク１２とビスマーク１２の数箇所の間に注意書き１６が印刷されている床暖房マット取付ビス打ちガイドテープ１０を示したが，注意書き１６は全てのビスマーク１２とビスマーク１２との間に印刷するようにしてもよいことは勿論である。
　
１ｅ．図１には，床暖房マット取付ビス打ちガイドテープの長手方向に直交する方向に，「このテープ上にフローリングを止めてください。注意　このテープ以外に止めないでください。」との注意書きをビスマークの間に表示する床暖房マット取付ビス打ちガイドテープが図示されている。
　
１ｆ．図３には，マット本体には小根太が配置されており，長手方向に配置された２つの小根太の間には，温水パイプのＵ字部が位置するスペースが設けられる点，及び，小根太の上部に床暖房マット取付ビス打ちガイドテープを設ける点が図示されている。
　
１ｇ．図３には，床暖房マット取付ビス打ちガイドテープは，その長手方向が小根太の長手方向に沿って設けられる点が図示されていること，及び，上記記載事項１ｄの「注意書き１６は全てのビスマーク１２とビスマーク１２との間に印刷する」と記載から見て，床暖房マット取付ビス打ちガイドテープは，小根太の長手方向に直交する方向に，「このテープ上にフローリングを止めてください。注意　このテープ以外に止めないでください。」との注意書きを表示し且つこの注意書きを小根太の長手方向と平行に複数列で表示するものである。
　
　そこで，これらの記載事項及び図面の図示内容を総合すると，引用文献１には，次の発明（以下，「引用発明１」という。）が記載されている。
　
「温水パイプが嵌め込まれているマット本体の上面にフローリング材を配置して床暖房マットが構成され，マット本体には小根太が配置されており，長手方向に配置された２つの小根太の間には，温水パイプのＵ字部が位置するスペースが設けられると共に，長手方向に配置された２つの小根太にフローリング材が隠し釘で固定されている床暖房マットにおいて，小根太の上側に，小根太の長手方向に直交する方向に，『このテープ上にフローリングを止めてください。注意　このテープ以外に止めないでください。』との注意書きを表示し且つこの注意書きを小根太の長手方向と平行に複数列で表示するための床暖房マット取付ビス打ちガイドテープを設けた床暖房マット。」
　
（３−２）原査定の拒絶の理由に引用された刊行物である，特開平１０−２３２０２３号公報（以下「引用文献２」という。）には，次の事項が記載されている。
　
２ａ．「【請求項１】  加熱体を内蔵してなる床暖房パネルにおいて，構造用パネル材からなり，加熱体を埋設するための溝を上面に備えた基板と，基板に埋設された加熱体と，基板の上面側に設けられ，加熱体を覆う表面板とを有してなることを特徴とする床暖房パネル。
【請求項２】  前記基板の上面に均熱板を設け，均熱板の上面に表面板を設けてなる請求項１記載の床暖房パネル。
【請求項３】  前記表面板の表面で，加熱体の埋設位置に対応する部分に釘打ち抜き禁止表示部を設けてなる請求項１又は２記載の床暖房パネル。
【請求項４】  前記表面板の上面に床仕上材を設けてなり、この床仕上材の長辺が基板に設けた溝の長手方向に直交配置されてなることを特徴とする請求項３記載の床暖房パネル。」（【特許請求の範囲】）　
　
２ｂ．「請求項３に記載の本発明によれば下記(4) の作用がある。
(4)表面板の表面で，加熱体の埋設位置に対応する部分に釘打ち禁止表示部を設けた。従って，床暖房パネルを建物の床構造体に釘打ちするとき，加熱体を釘打ちして損傷せしめることを確実に防止できる。
　請求項４に記載の本発明によれば下記(5) の作用がある。
(5)床仕上材の長辺が基板に設けた溝の長手方向に直交配置されてなるようにした。これにより，床仕上げ材の長辺に隣接する釘打ち禁止表示部を見て，釘打ち禁止部が容易に判別でき，加熱体への釘打ちを防止できる。」（段落【００２３】−【００２４】）　　
　
２ｃ．「加熱体１２は，温水パイプもしくは電熱ヒータからなり，基板１１の溝１１Ａに埋設される温水パイプとしては，例えば架橋ポリエチレン管６Ａを用いることができる。」（段落【００３５】）
　
２ｄ．「表面板１４の表面で，加熱体１２の埋設位置に対応する部分（基板１１の溝１１Ａに対応する部分）には，釘打ち抜き禁止表示部１５が，例えば赤色印刷にて表示されている。釘打ち抜き禁止表示部１５の表示幅Ｗ２は，溝１１Ａの全幅Ｗの両側に拡幅したものとされている。また，表面板１４の表面で，基板１１のＵターン部１１Ｃに対応する部分には，上記釘打ち抜き禁止表示部１５の上に，フローリング材（乱尺材）を敷設する際の乱尺施工時釘打ち抜き注意表示部１６が表示されている。」（段落【００３８】）
　
２ｅ．「床暖房パネル１０Ｄは，図１３に示すように，表面板１４の上面に矩形状の床仕上げ材１７（乱尺のフローリング材）を設けたものであって，この床仕上材１７の長辺が基板１１に設けた溝１１Ａ（釘打ち禁止表示部１５の直下に位置している）の長手方向に直交配置されている。
　これにより，床仕上げ材１７の長辺に隣接する釘打ち禁止表示部１５を見て，釘打ち禁止部が容易に確認でき，加熱体１２への釘打ちを防止できる。これに対し，仮想線（２点鎖線）で示すように，床仕上げ材１７の長辺を溝１１Ａの長手方向に向けて配置すると，長い範囲に渡って釘打ち禁止表示部１５が見えないので，加熱体１２に釘打ちする恐れが高い。」（段落【００４５】−【００４６】）
　
　そして，上記記載事項２ｂの「床仕上材の長辺が基板に設けた溝の長手方向に直交配置されてなるようにした。これにより，床仕上げ材の長辺に隣接する釘打ち禁止表示部を見て，釘打ち禁止部が容易に判別でき，加熱体への釘打ちを防止できる。」との記載からみて，床仕上げ材は加熱体への釘打ちを防止する部位で釘打ちされるものといえ，床仕上げ材は，基板の加熱体の埋設位置及びＵターン部に対応する部分をさけて，それ以外の部位に釘打ち固定されていることは明らかである。　
　
　そこで，これらの記載事項及び図面の図示内容を総合すると，引用文献２には，次の発明（以下「引用発明２」という。）が記載されている。
　
「温水パイプもしくは電熱ヒータからなる加熱体が内蔵されている基板の上面に表面板を有し，表面板の上面側に床仕上材を設けて床暖房パネルが構成され，基板の加熱体の埋設位置及びＵターン部に対応する部分以外の部位に床仕上材が釘打ち固定されている床暖房パネルにおいて，表面板の表面で，基板のＵターン部に対応する部分には，乱尺施工時釘打ち抜き注意表示部を設けた床暖房パネル。」　
　
（４）対比
　
　本件補正発明と引用発明１とを対比すると，引用発明１の「温水パイプ」は，本件補正発明の「温水パイプや電気ヒータなどの放熱部材」に相当し，以下同様に，「嵌め込まれている」は「収納されている」に，「マット本体」は「暖房パネル本体」に，「フローリング材」は「床表面材」に，「配置して」は「積層して」に，「床暖房マット」は「床暖房パネル」に，「小根太」は「小根太」に，「隠し釘で固定されている」は「釘打ち固定されている」に，それぞれ相当する
　
　そして，本件補正発明の「小根太には放熱部材が横断することができる部位が設けられる」態様と，引用発明１の「長手方向に配置された２つの小根太の間には，温水パイプのＵ字部が位置するスペースが設けられる」態様は，ともに，「小根太を放熱部材が横切る」態様である点で共通する。
　
　また，床表面材が釘打ち固定される位置について，本件補正発明の「放熱部材が横断する小根太の部位以外の部位」と引用発明１の「長手方向に配置された２つの小根太」は，ともに，「放熱部材が横切る小根太の部位以外の部位」である点で共通している。
　
　さらに，本件補正発明の「『釘打ちを禁止する』旨の注意書き」と，引用発明１の「『このテープ上にフローリングを止めてください。注意　このテープ以外に止めないでください。』との注意書き」は，ともに，「釘打ちの案内に関する注意書き」である点で共通している。
　
　そして，本件補正発明の「床表面材の長手方向と平行に『釘打ちを禁止する』旨の注意書きを表示し且つフローリングの際に一部の列の『釘打ちを禁止する』旨の注意書きが床表面材により死角になった場合でも残りの列の『釘打ちを禁止する』旨の注意書きが当該床表面材の死角に入らないようにこの注意書きを床表面材の長手方向と直交する方向に複数列で表示するための釘打ち防止用表示部」と，引用発明１の「小根太の長手方向に直交する方向に，『このテープ上にフローリングを止めてください。注意　このテープ以外に止めないでください。』との注意書きを表示し且つこの注意書きを小根太の長手方向と平行に複数列で表示するための床暖房マット取付ビス打ちガイドテープ」は，共に，「釘打ち案内表示部」である点で共通している。
　
　そうしてみると，両者は，
　　
「温水パイプや電気ヒータなどの放熱部材が収納されている暖房パネル本体の上面に床表面材を積層して床暖房パネルが構成され，暖房パネル本体には小根太が配置されており，小根太を放熱部材が横切ると共に，放熱部材が横切る小根太の部位以外の部位に床表面材が釘打ち固定されている床暖房パネルの構造において，釘打ち案内表示部を設けた床暖房パネルの構造。」
　
である点で一致し，以下の点で相違している。
　
・相違点（１）
　
　「小根太を放熱部材が横切ると共に，放熱部材が横切る小根太の部位以外の部位に床表面材が釘打ち固定されている」床暖房パネルの構成が，本件補正発明は「小根太には放熱部材が横断することができる部位が設けられると共に，床表面材はその長手方向を小根太と直交する方向に向けて配置され，放熱部材が横断する小根太の部位以外の部位に床表面材が釘打ち固定されている」のに対して，引用発明１は「長手方向に配置された２つの小根太の間には，温水パイプのＵ字部が位置するスペースが設けられると共に，長手方向に配置された２つの小根太にフローリング材が隠し釘で固定されている」点。
　
・相違点（２）
　
　「釘打ち案内表示部」が，本件補正発明は「放熱部材が横断する小根太の部位の上側に，床表面材の長手方向と平行に『釘打ちを禁止する』旨の注意書きを表示し且つフローリングの際に一部の列の『釘打ちを禁止する』旨の注意書きが床表面材により死角になった場合でも残りの列の『釘打ちを禁止する』旨の注意書きが当該床表面材の死角に入らないようにこの注意書きを床表面材の長手方向と直交する方向に複数列で表示するための釘打ち防止用表示部」であるのに対して，引用発明１は，「小根太の上側に，小根太の長手方向に直交する方向に，『このテープ上にフローリングを止めてください。注意　このテープ以外に止めないでください。』との注意書きを表示し且つこの注意書きを小根太の長手方向と平行に複数列で表示するための床暖房マット取付ビス打ちガイドテープ」である点。
　
（５）判断
　
　上記相違点について検討する。
　
ａ．相違点（１）について
　　
　「小根太を放熱部材が横切る」態様として，小根太に放熱部材が横断することができる部位を設けることは，本願出願前周知の技術である(例えば，特開平７−１９０３９３号公報，特開２０００−２１３７５９号公報，特開昭５５−９９５９２号公報参照。）。
　
　また，「床表面材はその長手方向を小根太と直交する方向に向けて配置」されるようにすることは，本願出願前において慣用技術である（例えば，特開平８−９３２０１号公報，特開平１０−２５７１号公報参照。）。
　なお，本願明細書の段落【０００３】にも「床表面材４は小根太５と必ず直交させて施工することが標準の施工用とされており」と記載されていることからみても，この点は当業者にとって自明の事項とも言える。
　　
　してみれば，床暖房パネルの構成として，引用発明１の「長手方向に配置された２つの小根太の間には，温水パイプのＵ字部が位置するスペースが設けられる」態様を，「小根太に放熱部材が横断することができる部位を設ける」態様とし，「床表面材はその長手方向を小根太と直交する方向に向けて配置」されるようにすることで，上記相違点（１）に係る本件補正発明の「小根太には放熱部材が横断することができる部位が設けられると共に，床表面材はその長手方向を小根太と直交する方向に向けて配置され，放熱部材が横断する小根太の部位以外の部位に床表面材が釘打ち固定されている」構成とすることは，上記周知技術及び慣用技術に倣って，当業者が容易に想到し得たことである。
　
ｂ．相違点（２）について
　
　本件補正発明と引用発明２とを対比すると，引用発明２の「温水パイプもしくは電熱ヒータからなる加熱体」は，本件補正発明の「温水パイプや電気ヒータなどの放熱部材」に相当し，以下同様に，「内蔵されている」は「収納されている」に，「基板の上面に表面板を有」する態様は「暖房パネル本体」に，「床仕上材」は「床表面材」に，「床暖房パネル」は「床暖房パネル」に，「乱尺施工時釘打ち抜き注意表示部」は「釘打ち防止用表示部」に，それぞれ相当する。
　
　そして，引用発明２においては，基板の加熱体の埋設位置及びＵターン部に対応する部分以外の部位に床仕上材を釘打ち固定するものであるから，「基板のＵターン部に対応する部分」は，床表面材を釘打ち固定する際に，放熱部材と埋設位置の間である釘打ちのラインと放熱部材が交差する部分であり，放熱部材に釘打ちする恐れの高い領域，言い換えれば「釘打ち要注意領域」であるといえる。
　してみれば，引用発明２は，釘打ちのライン上であって釘打ち要注意領域以外の部位で床表面材を釘打ち固定するとともに，釘打ち要注意領域に釘打ち防止用表示部を設けたものである。
　
　そうしてみると，引用発明２は，次のように言い換えることができる。
　
「温水パイプや電気ヒータなどの放熱部材が収納されている暖房パネル本体の上面に床表面材を積層して床暖房パネルが構成され，床暖房パネルの釘打ちのライン上であって釘打ち要注意領域以外の部位に床表面材が釘打ち固定されている床暖房パネルの構造において，釘打ち要注意領域に，釘打ち防止用表示部を設けた床暖房パネルの構造。」
　
　一方，引用発明１の床暖房マットは，「長手方向に配置された２つの小根太の間には，温水パイプのＵ字部が位置するスペースが設けられると共に，長手方向に配置された２つの小根太にフローリング材が隠し釘で固定されている」ものであるから，「小根太を放熱部材が横切る部位」である，引用発明１における「（長手方向に配置された２つの小根太の間に設けられた）温水パイプのＵ字部が位置するスペース」は，床表面材を釘打ち固定する際に，釘打ちのラインと放熱部材が交差する部分になり，放熱部材に釘打ちする恐れの高い「釘打ち要注意領域」といえる。
　
　また，釘打ち案内表示部に表示される注意書きが，引用発明１においては，「小根太の上側」に，「『このテープ上にフローリングを止めてください。注意　このテープ以外に止めないでください。』」と表示するもの，言い換えれば，「釘打ち可能領域」に，「釘打ちすべき場所」を案内表示するものであるが，同様の注意書きとして，「釘打ち要注意領域」において，「釘打ちを禁止する旨」を表示するようにすることは，当業者であれば容易に想定できることといえる。
　
　ところで，「床表面材をその長手方向を小根太と直交する方向に向けて配置」させることは，上記のように慣用技術であるから，この慣用技術においては，「小根太の長手方向に直交する方向」は「床表面材の長手方向と平行」であり，引用発明１の「床暖房マット取付ビス打ちガイドテープ」のように，「注意書きを小根太の長手方向と平行に複数列で表示する」ものは，「注意書きを床表面材の長手方向と直交する方向に複数列で表示する」ものといえる。
　
　さらに，引用発明１において，床暖房マット取付ビス打ちガイドテープに「注意書きを小根太の長手方向と平行に複数列で表示する」ことで，フローリングの際に一部の列の注意書きが床表面材により死角になった場合でも残りの列の注意書きが床表面材の死角に入らないようになるものである。
　
　そして，引用発明１と引用発明２は，ともに，床暖房パネルという同一の技術分野に属し，かつ，放熱部材への釘打ちを防止するという同一の課題を解決するためのものである。
　
　してみれば，「釘打ち案内表示部」として，引用発明１に引用発明２を組み合わせるに際し上記慣用技術及び周知の技術を考慮して，釘打ち要注意領域である「放熱部材が横断する小根太の部位の上側」に，「釘打ち防止用表示部」を設けるとともに，この釘打ち防止用表示部に，引用発明１と同様な表示形態を用いて釘打ち要注意領域であることを表示することで，「床表面材の長手方向と平行に『釘打ちを禁止する』旨の注意書きを表示し且つフローリングの際に一部の列の『釘打ちを禁止する』旨の注意書きが床表面材により死角になった場合でも残りの列の『釘打ちを禁止する』旨の注意書きが当該床表面材の死角に入らないようにこの注意書きを床表面材の長手方向と直交する方向に複数列で表示するための釘打ち防止用表示部」とすることは，当業者が容易に想到し得たことである。　
　
　そして，本件補正発明の奏する効果も，引用発明１，引用発明２，慣用技術及び周知の技術から当業者が予測し得た程度のものであって，格別なものとはいえない。　
　
　よって，本件補正発明は，引用発明１，引用発明２，慣用技術及び周知の技術に基いて，当業者が容易に発明をすることができたものである。
　
　したがって，本件補正発明は，引用発明１，引用発明２，慣用技術及び周知の技術に基いて当業者が容易に発明をすることができたものであるから，特許法第２９条第２項の規定により，特許出願の際独立して特許を受けることができない。　
　
（６）むすび
　
　以上のとおり，本件補正は，改正前の特許法第１７条の２第５項において準用する同法第１２６条第５項の規定に違反するので，同法第１５９条第１項において読み替えて準用する同法第５３条第１項の規定により却下すべきものである。
　
３．本願発明について
　
（１）本願発明
　
　平成２０年９月２２日付け手続補正は，上記のとおり却下されたので，本願の請求項１に係る発明（以下「本願発明」という。）は，平成２０年６月３０日付け手続補正書の特許請求の範囲の請求項１に記載された事項により特定される，次のとおりのものである。
　
「温水パイプや電気ヒータなどの放熱部材が収納されている暖房パネル本体の上面に床表面材を積層して床暖房パネルが構成され，暖房パネル本体には小根太が配置されており，小根太には放熱部材が横断することができる部位が設けられると共に，床表面材はその長手方向を小根太と直交する方向に向けて配置され，放熱部材が横断する小根太の部位以外の部位に床表面材が釘打ち固定されている床暖房パネルの構造において，放熱部材が横断する小根太の部位の上側に，床表面材の長手方向と平行に注意書きを表示し且つフローリングの際に一部の列の注意書きが床表面材により死角になった場合でも残りの列の注意書きが当該床表面材の死角に入らないようにこの注意書きを床表面材の長手方向と直交する方向に複数列で表示するための釘打ち防止用表示部を設けたことを特徴とする床暖房パネルの構造。」
　
（２）引用文献
　
　原査定の拒絶の理由に引用された刊行物である，引用文献１，引用文献１の記載事項及び引用発明１，同じく，原査定の拒絶の理由に引用された刊行物である，引用文献２，引用文献２の記載事項及び引用発明２は，前記「２．［理由］（３）引用文献」に記載したとおりである。
　
（３）対比・判断
　
　本願発明は，前記「２．」で検討した本件補正発明から，注意書きについて，「『釘打ちを禁止する』旨の」との限定を省いたものである。　
　
　そうしてみると，本願発明の構成要件を全て含み，さらに他の構成要件を付加したものに相当する本件補正発明が，前記「２．（５）」に記載したとおり，引用発明１，引用発明２，慣用技術及び周知の技術に基いて，当業者が容易に発明をすることができたものであるから，本願発明も同様の理由により，引用発明１，引用発明２，慣用技術及び周知の技術に基いて，当業者が容易に発明をすることができたものである。
　
（４）むすび
　
　以上のとおりであるから，本願発明は，引用発明１，引用発明２，慣用技術及び周知の技術に基いて当業者が容易に発明をすることができたものであり，特許法第２９条第２項の規定により，特許を受けることができない。
　
　したがって，本願のその他の請求項に係る発明について検討するまでもなく，本願は拒絶すべきものである。
　
　よって，結論のとおり審決する。